(57)【要約】【課題】多重アンテナを使用する広帯域無線接続システムにおいて、 ＭＩＭＯ技術に基づく多様な多重アンテナ技法を支援するための方法を提供する。【解決手段】広帯域無線接続システムにおいて、多様な多重アンテナ技法を使用するための方法であって、多重アンテナ技法のうちの１つである多重入力多重出力（ＭＩＭＯ）に基づく多様な多重アンテナ技法を支援するために、下りマップメッセージを構成することによって、端末機がフィードバックする情報（ＭＩＭＯフィードバック）なしに動作する既存のＭＩＭＯ技術に互換可能でありつつ、ＭＡＰ情報要素を伝達するときに発生するオーバーヘッドを最小化することができ、ＭＩＭＯシステムにおいて、相互に異なるＭＣＳレベルを有する多重レイヤーを送信することができる空間多重化技術（ＳＭ）に対して効率的に支援することができる。 【選択図】図１
2006141013.tif 000002
【特許請求の範囲】
【請求項１】
多重入力多重出力（ＭＩＭＯ）方式のアンテナ技法が適用された広帯域無線接続システムにおいて、多様なＭＩＭＯ及びプリコーディング技術を支援するための方法であって、
前記ＭＩＭＯ技術を指示することができる基本情報フィールドと多様なプリコーディング技術を指示することができる情報フィールドとを含む下りリンクマップメッセージを構成するステップと、
前記下りリンクマップメッセージを用いて、前記端末機に前記ＭＩＭＯ技術を適用するステップと
を具備することを特徴とする方法。
【請求項２】
前記下りリンクマップメッセージは、
レイヤー別コーディング及び変調情報を示すフィールドと、チャンネル品質情報（ＣＱＩ）の割当てに対するリスト情報とを具備することを特徴とする請求項１記載の方法。
【請求項３】
前記下りリンクマップメッセージは、
時空間符号化器の出力ストリーム数（Ｍｔ）を示すフィールドを含み、前記コーディング及び変調情報を示すフィールドを介して適用可能なＭＩＭＯ技術を指示することを特徴とする請求項２記載の方法。
【請求項４】
前記下りリンクマップメッセージは、
支援可能なモードが変わったか否かを指示するフィールドを含み、前記コーディング及び変調情報を示すフィールドに指示されたレイヤー数と、前記出力ストリームの数（Ｍｔ）と、前記基本情報フィールドの値を通じて前記時空間符号化器の種類とを把握することができるように指示することを特徴とする請求項３記載の方法。
【請求項５】
前記ＭＩＭＯ技術を適用するステップは、
前記下りマップメッセージに含まれた多様なプリコーディング技術を指示することができる情報フィールドがアンテナグルーピングプリコーディング技術にて指定された場合に、前記下りマップメッセージに指定されたレイヤー数及びストリーム数によって優先的に適用されるＭＩＭＯ技術を決定するステップと、
前記下りマップメッセージに指定されたアンテナグルーピングインデックスフィールドにより、適用されるＭＩＭＯ技術を決定するステップと、
前記決定されたＭＩＭＯ技術を適用するステップと
を具備することを特徴とする請求項１記載の方法。
【請求項６】
多重入力多重出力（ＭＩＭＯ）方式を使用する広帯域無線接続通信システムにおいて、基地局が遂行する多重アンテナを支援する方法であって、
前記移動局からチャンネル品質情報を受信するステップと、
前記チャンネル品質情報に相当するようにＭＩＭＯ方式を決定するステップと、
前記決定されたＭＩＭＯ方式に相当するようにデータを符号化するステップと、
前記符号化されたデータ及び符号化のために使用された情報を下りリンクマップメッセージを構成して送信するステップと
を具備することを特徴とする多重アンテナ支援方法。
【請求項７】
前記ＭＩＭＯ方式は、
基地局送信機の変調器の個数に対応するレイヤー数及び符号化器から出力された変調ストリームの個数に相当するように送信行列を決定することを特徴とする請求項６記載の多重アンテナ支援方法。
【請求項８】
前記符号化は、
送信ダイバーシティ、垂直的符号化、及び水平的符号化方式のうちのいずれか１つの符号化方式であることを特徴とする請求項６記載の多重アンテナ支援方法。
【請求項９】
前記符号化のために使用された情報は、
基地局送信機の変調器の個数に対応するレイヤー数及び符号化器から出力された変調ストリームの個数に関する情報であり、前記レイヤー及び変調ストリームの個数により決定される送信行列を指示する下りリンクマップメッセージを前記移動局へ送信することを特徴とする請求項６記載の多重アンテナ支援方法。
【請求項１０】
前記符号化のために使用された情報は、
基地局送信機の変調器の個数に対応するレイヤー数及び符号化器から出力された変調ストリームの個数に関する情報であり、前記レイヤー及び変調ストリームの個数により決定されるアンテナグルーピング／選択インデックス情報を指示する下りリンクマップメッセージを前記移動局へ送信することを特徴とする請求項６記載の多重アンテナ支援方法。
【請求項１１】
多重入力多重出力（ＭＩＭＯ）方式を使用する広帯域無線接続通信システムにおいて、前記ＭＩＭＯ方式を適用するための基地局装置であって、
送信されるデータの符号化を遂行する第１の符号化器と、
前記第１の符号化器から出力された符号化されたデータを複素平面にマッピングする変調器と、
変調されたデータにＭＩＭＯ方式を適用する第２の符号化器と、
前記第２の符号化器から出力された変調ストリームのプリコーディングを遂行する先符号化器と
を具備することを特徴とする基地局装置。
【請求項１２】
前記第２の符号化器は、
時空間符号化を遂行する時空間符号化器であることを特徴とする請求項１１記載の基地局装置。
【請求項１３】
前記先符号化器は、
移動局からフィードバックされたチャンネル品質情報を受信する場合に動作することを特徴とする請求項１１記載の基地局装置。
【請求項１４】
前記ＭＩＭＯ方式は、
前記変調器の個数に対応するレイヤー数及び第２の符号化器から出力された変調ストリームの個数に相当するように、送信行列を決定することを特徴とする請求項１１記載の基地局装置。
【請求項１５】
前記第２の符号化器は、
送信ダイバーシティ、垂直的符号化、及び水平的符号化方式のうちのいずれか１つの符号化方式を使用することを特徴とする請求項１１記載の多重アンテナ支援方法。
【発明の詳細な説明】
【技術分野】
【０００１】
本発明は、広帯域無線接続（Broadband Wireless Access；以下、“ＢＷＡ”と称する）システムに関し、特に、直交周波数分割多重接続（Orthogonal Frequency Division Multiple Access；以下、“ＯＦＤＭＡ”と称する）方式を使用するシステムにおいて、多様な多重アンテナ技法を支援するための方法に関する。
【背景技術】
【０００２】
現在の無線移動通信システムは、高品質、高速、及び大容量のデータ送信のマルチメディアサービスを目標にして、実現又は研究が活発に進められている。このような無線移動通信システムに存在する無線チャンネルの環境は、有線チャンネルの環境とは異なって、多重経路干渉（multi-path interference）、シャドーイング（shadowing）、電波減衰、時変雑音、及び干渉などのような多くの要因により、実際の送信信号が歪曲されて受信される。ここで、上記多重経路干渉によるフェージングは、反射体やユーザ、すなわち、ユーザ端末機の移動性に密接した関係を有し、実際の送信信号と干渉信号とが混在した形態で受信される。従って、上記受信信号は、実際の送信信号とは異なって、ひどい歪曲によって、結局、全体の移動通信システムの性能を低下させる要因として作用する。
【０００３】
上記フェージング現象は、受信信号の大きさ（amplitude）及び位相（phase）を歪曲させることができるので、無線チャンネルの環境では、高速のデータ通信を妨害する主な原因であり、上記フェージング現象を解決するための多い研究が進行されている。従って、移動通信システムにおいて、データを高速に送信するためには、フェージング現象のような移動通信チャンネルの特性による損失及びユーザ別干渉を最小化しなければならない。これを解決するために提案された技術のうちの１つが、多重入力多重出力（Multiple Input Multiple Output；以下、“ＭＩＭＯ”と称する）技術である。
【０００４】
上記ＭＩＭＯ技術は、データ送信方式及びチャンネル情報フィードバック（feedback）の可否に従って、次のように大別することができる。
【０００５】
まず、データ送信方式には、空間多重化（Spatial Multiplexing；以下、‘ＳＭ’と称する）技法と、空間ダイバーシティ（Spatial Diversity；以下、‘ＳＤ’と称する）技法とがある。上記ＳＭ技法は、送信器及び受信器の多重アンテナを用いて、相互に異なるデータを同時に送信することによって、システムの帯域幅（bandwidth）を増加させず、さらに高速でデータを送信することができる技法である。一方、上記ＳＤ技法は、多重送信アンテナで同一のデータを送信することによって、送信ダイバーシティを得る技法である。
【０００６】
上記のような技術は、受信器から送信器へチャンネル情報をさらにフィードバックする閉ループ（closed loop）方式と、チャンネル情報をフィードバックしない開ループ（open loop）方式とに分類することができる。
【０００７】
一方、上記広帯域無線接続システムに関連した国際標準化機構のうちの１つである電気電子技術者協会（Institute of Electrical and Electronics Engineers；以下、“ＩＥＥＥ”と称する）８０２．１６ｅの現在の標準文書８０２．１６−ＲＥＶｄ／Ｄ５、ＲＥＶｅ／Ｄ５−２００４を参照すると、上記開ループ方式のＭＩＭＯ技術を支援する方案のみが記載されているが、上記閉ループ方式のＭＩＭＯ技術を支援するための方案は記載されていない。
【発明の開示】
【発明が解決しようとする課題】
【０００８】
上記背景に鑑みて、本発明の目的は、多重アンテナを使用する広帯域無線接続システムにおいて、 ＭＩＭＯ技術に基づく多様な多重アンテナ技法を支援するための方法を提供することにある。
【０００９】
本発明の他の目的は、多重アンテナを使用する広帯域無線接続システムにおいて、ＭＩＭＯ技術を分類することができるＭＡＰメッセージを構成して、多様な多重アンテナ技法を支援するための方法を提供することにある。
【００１０】
本発明のまた他の目的は、端末機がフィードバックを行う多重アンテナ技術、プリコーディング又はアンテナ結合技術、及びアンテナ選択技術などを効率的に提供するための下りリンクＭＡＰメッセージを構成して、多様な多重アンテナ技法を支援するための方法を提供することにある。
【課題を解決するための手段】
【００１１】
このような目的を達成するために、本発明の実施形態によれば、多重入力多重出力（ＭＩＭＯ）方式のアンテナ技法が適用された広帯域無線接続システムにおいて、多様なＭＩＭＯ及びプリコーディング技術を支援するための方法は、  上記ＭＩＭＯ技術を示すことができる基本情報フィールドと多様なプリコーディング技術を示すことができる情報フィールドとを含む下りリンクマップメッセージを構成するステップと、上記下りリンクマップメッセージを用いて、上記端末機に上記ＭＩＭＯ技術を適用するステップとを具備することを特徴とする。
【発明の効果】
【００１２】
本発明は、広帯域無線接続システムにおいて、ＭＩＭＯの多様な基本技術及び多様なＭＩＭＯプリコーディング技術を下りリンクマップメッセージを通じて、効率的であり少ないデータ量で端末機に指示することができるので、性能の向上及びセル容量の増大が図れる、という効果を有する。
【発明を実施するための最良の形態】
【００１３】
以下、本発明の好適な一実施形態を添付図面を参照しつつ詳細に説明する。なお、下記の説明において、本発明の要旨のみを明瞭にする目的で、関連した公知の機能又は構成に関する具体的な説明は省略する。
【００１４】
本発明は、多重アンテナを使用する広帯域無線接続通信システムにおいて、多様な多重入力多重出力（Multiple Input Multiple Output、以下、“ＭＩＭＯ”）方式を使用するための方法を提案する。特に、本発明は、閉ループ（closed loop） ＭＩＭＯ方式を広帯域無線接続通信システムで使用するために、新たな下りリンクマップ（ＤＬ−ＭＡＰ）メッセージを提案する。上記新たなＤＬ−ＭＡＰメッセージは、変調器の個数により決定されるレイヤー（layer）数及び時空間コーディング（Space Time Coding；以下、“ＳＴＣ”と称する）符号化器（encoder）の出力ストリームの個数（Ｍｔ）に相当する送信マトリックス（matrix）を選択する方案を提供する。上記ＳＴＣは、直列／並列（Ｓ／Ｐ；serial-to-parallel）変換器にて実現することができる。上記送信マトリックスは、ＩＥＥＥ８０２．１６標準文書に、送信ダイバーシティ（transmit diversity）、垂直的符号化（vertical encoding）、及び水平的符号化（horizontal encoding）方式に従ってあらかじめ決定されており、下記でさらに詳細に説明する。
【００１５】
上記新たなＤＬ−ＭＡＰメッセージを用いたＭＩＭＯ技術を広帯域無線接続通信システムに適用すると、移動局、すなわち、受信器からフィードバックするチャンネル品質情報（channel quality information）を用いて、閉ループＭＩＭＯ技術を支援することができ、チャンネル品質情報のフィードバックがない既存の開ループＭＩＭＯ技術にも互換可能である。上記閉ループＭＩＭＯ技術を使用すると、先符号化（precoding）を遂行することができる。
【００１６】
図１は、本発明の実施形態による広帯域無線接続システムにおける移動局から受信したフィードバック情報を用いて先符号化(precoding)を遂行することができる単一符号化器及び変調器を有する送信器の構成を示す図である。
【００１７】
図１を参照すると、上記送信器は、送信しようとするデータ１０１に対する符号化を遂行する符号化器１０２と、上記符号化されたデータを複素平面にマッピング（mapping）する変調器１０３と、変調されたデータに基本的なＭＩＭＯ技術を適用するためのＳＴＣ符号化器１０４と、ＳＴＣ符号化器１０４から出力されたＭｔ個のストリーム（stream）を受信して先符号化を遂行する先符号化器（pre-coding block）１０５とを具備する。ここで、先符号化器１０５は、移動局からフィードバックされたチャンネル品質情報を用いてＭＩＭＯ技術を適用する。先符号化器１０５は、先符号化器１０５から出力されたシンボルをマッピングするサブキャリアマッピング器１０６と、上記マッピングされたシンボルをＯＦＤＭＡシンボルとして作るための逆高速フーリエ変換（Inverse Fast Fourier Transform；以下、“ＩＦＦＴ”と称する）器１０７と、を含む。
【００１８】
上記のように、送信器が１つの符号化器１０２及び変調器１０３を有するに従って、レイヤー数は、１になり（すなわち、Ｌ＝１）、ＳＴＣ符号化器１０４は、Ｍｔ個のシンボルを出力する。このように、上記Ｍｔ個の出力シンボルがすべて共通する１つの送信信号に対してダイバーシティ利得を得るためのＭＩＭＯ技術が送信ダイバーシティ技術である。そして、上記Ｍｔ個の出力シンボルが２つ以上の分離された送信信号に対して、データ送信率の側面で利得を得るＭＩＭＯ技術を垂直に符号化された（Vertical Encoding；“ＶＥ”）空間多重化技術と呼ぶ。
【００１９】
先符号化器１０５は、Ｍｔ個の入力ストリームを受信して、Ｍｔ× Ｎｔ行列を乗じる動作を遂行する。ここで、上記Ｎｔは、送信アンテナの個数である。
【００２０】
このような構成を有する上記送信器は、チャンネルフィードバック情報を受信して、先符号化器１０５の行列値を生成し、フィードバック先符号化（例えば、ＳＶＤ先符号化及びビーム形成先符号化など）、アンテナグルーピング先符号化、及びアンテナ選択先符号化などの多様なＭＩＭＯアルゴリズムを適用して動作することができる。
【００２１】
ＳＴＣ符号化器１０４は、１個の入力列を受信して、Ｍｔ個の出力ストリームを生成し、ビーム形成プリコーディング技術を適用する時には、ＳＴＣ符号化を遂行せず、Ｍｔ個のストリームをそのまま出力することができる。 
【００２２】
図２は、本発明の他の実施形態による広帯域無線接続システムにおける移動局から受信したフィードバック情報を用いて、先符号化を遂行することができる複数の符号化器及び変調器を有する送信器の構成を示す図である。
【００２３】
図２を参照すると、上記送信器は、複数の符号化器２０２ａ乃至２０２ｎと変調器２０３ａ乃至２０３ｎとを含む。ここで、それぞれの機能に関する説明は、図１を参照して説明したものと同一であるので、具体的な説明は省略する。
【００２４】
上記のような複数のレイヤー数を有する送信器に適用されたＭＩＭＯ送信技術を水平に符号化された（Horizontal Encoding；“ＨＥ”）空間多重化（ＳＭ）技術と呼ぶ。
【００２５】
一方、ＳＴＣ符号化器２０４は、Ｌ個の入力列を受信して、Ｍｔ個のストリームを出力し、ビーム形成先符号化の技術を適用する時には、ＳＴＣ符号化を遂行せず、Ｍｔ個のストリームをそのままに出力することができる。 
【００２６】
図３は、本発明の実施形態による広帯域無線接続通信システムにおけるレイヤー及びストリームの個数に従う送信マトリックスを適用する方法を示す図である。
【００２７】
図３を参照すると、Ａ、Ｂ、及びＣは、送信マトリックスである。図１及び図２のＳＴＣ符号化器１０４及び２０４は、レイヤー数及びＭｔ数に従って、図３で１つの送信マトリックスを選択して、ＳＴＣ符号化を遂行する。上記送信マトリックスの行（row）インデックスは、アンテナ個数と一致し、列（column） インデックスは、ＯＦＤＭＡシンボル時間と一致する。
【００２８】
式（１）乃至式（２）は、Ｍｔが２である場合のそれぞれの送信ダイバーシティ（Transmit Diversity；ＴＤ）と、空間多重化（Spatial Mutiplexing；ＳＭ）のＳＴＣ符号化器１０４及び２０４の順次的な入力シンボルの行列を示す。
【数１】
2006141013.tif 000003
【００２９】
【数２】
2006141013.tif 000004
【００３０】
式（３）乃至式（５）は、Ｍｔが３である場合、送信ダイバーシティ（ＴＤ）と、ハイブリッド（Hybrid（ＴＤ＋ＳＭ））、空間多重化（ＳＭ）のＳＴＣ符号化器１０４及び２０４の順次的な入力シンボルの行列を示す。
【００３１】
【数３】
2006141013.tif 000005
【００３２】
【数４】
2006141013.tif 000006
【００３３】
【数５】
2006141013.tif 000007
【００３４】
式（６）乃至式（８）は、Ｍｔが４である場合、送信ダイバーシティ（ＴＤ）、ハイブリッド（Hybrid（ＴＤ＋ＳＭ））、空間多重化（ＳＭ）のＳＴＣ符号化部１０４及び２０４の順次的な入力シンボルの行列を示す。
【００３５】
【数６】
2006141013.tif 000008
【００３６】
【数７】
2006141013.tif 000009
【００３７】
【数８】
2006141013.tif 000010
【００３８】
表１、表２、及び表３は、広帯域無線接続システムにおいて、本発明の実施形態に従って、ＭＩＭＯに基づくすべての技術を効率的に提供するために一例として提案されたＭＩＭＯ＿Ｃｏｍｐａｃｔ＿ＤＬ−ＭＡＰメッセージのデータフォーマットを示す。
【００３９】
【表１】
2006141013.tif 000011
【００４０】
表２は、説明の便宜上、表１に続くメッセージフィールドを区分して示す。
【００４１】
【表２】
2006141013.tif 000012
【００４２】
表３は、説明の便宜上、表２に続くメッセージフィールドを区分して示す。
【００４３】
【表３】
2006141013.tif 000013
【００４４】
表１において、ＭＩＭＯに基づく制御情報を提供するＭＡＰ情報要素の最初８ｂｉｔは、３ビットの該当ＭＡＰ情報要素のタイプ（Type）及び５ビットのサブタイプ（Sub−Type）を示し、４ビットの長さ（Length）フィールドは、次のフィールドに位置したＭＩＭＯに基づく上記制御情報の長さをバイト単位に示す。
【００４５】
上記制御情報の構成を説明すると、２ビットのＭＩＭＯタイプフィールドは、ＭＩＭＯモードを示すフィールドである。すなわち、上記ＭＩＭＯタイプフィールド値が‘００’であれば、開ループＭＩＭＯモードを意味し、ＭＩＭＯタイプフィールド値が‘０１’であれば、アンテナグルーピングＭＩＭＯモードを意味し、ＭＩＭＯタイプフィールド値が‘１０’であれば、アンテナ選択ＭＩＭＯモードを意味し、ＭＩＭＯタイプフィールド値が‘１１’であれば、閉ループ先符号化を遂行するＭＩＭＯモードを意味する。
【００４６】
次いで、Ｎｕｍ＿ｌａｙｅｒフィールドは、ＳＴＣ符号化器へ入力される信号ブランチ（branch）の個数であるレイヤー数を指示するフィールドである。Ｍｔフィールドは、ＳＴＣ符号化器の出力ストリーム数を指示するフィールドである。上記送信器は、上記Ｎｕｍ＿ｌａｙｅｒフィールドと上記Ｍｔフィールドとのフィールド値を用いて、図３のＡ、Ｂ、及びＣで示した送信マトリックスを決定する。例えば、上記Ｎｕｍ＿ｌａｙｅｒフィールドの値が‘１０’であり、Ｍｔフィールドの値が‘１０’であれば、上記ＳＴＣ符号化器は、垂直的な符号化が遂行されたＣ送信マトリックスを使用してＳＴＣ符号化を遂行する。
【００４７】
一方、表２に示したＭｏｄｅ＿Ｃｈａｎｇｅフィールドは、ＭＩＭＯモードが以前と比較して変更されたか否かを指示するフィールドである。例えば、Ｍｏｄｅ＿Ｃｈａｎｇｅ値が‘１’であれば、以前のＭＩＭＯモードとは異なるＭＩＭＯモードを使用することを意味する。上記Ｍｏｄｅ＿Ｃｈａｎｇｅ値が‘０’であれば、以前のＭＩＭＯモードと現在のＭＩＭＯモードとが同一であることを意味し、このときは、変更された情報がないので、以前と同一のＭＩＭＯタイプの情報を含む必要がない。従って、上記Ｃｏｍｐａｃｔ ＤＬ＿ＭＡＰメッセージのサイズを減少させることができる。
【００４８】
表１のＭＩＭＯタイプフィールド値が‘００’又は‘１１’に指定された場合に、開ループのときに使用されるマトリックスと、閉ループのときに使用される先符号化マトリックスインデックスとを指示する。
【００４９】
下記表４又は図３は、レイヤー数及びストリーム数（Ｍｔ）に従って可能な組合せを示す。これと共に、閉ループＭＩＭＯタイプのうち、フィードバック先符号化技術が指定されたＭＩＭＯタイプ＝１１である場合に、上記ＳＴＣ符号化器を使用しつつ、フィードバック先符号化のためのインデックス６ビットを通じて、該当フィードバック先符号化の行列を指示する。ここで、上記フィードバック先符号化の行列は、Ｍｔ（ストリーム数）×Ｎｔ（送信アンテナ数） の大きさを有し、最大６４個の相互に異なる行列を有することができ、行列の値は、生成アルゴリズム、レイヤー数、ストリーム数、及び送信アンテナ数に従って変わることができる。
【００５０】
【表４】
2006141013.tif 000014
【００５１】
上記表１のＭＩＭＯタイプフィールド値が‘０１’にアンテナグルーピング技術が指定された場合に、表２のアンテナグルーピングインデックス４ビットを通じて、アンテナ先符号化の行列を指示することができる。
【００５２】
表５は、表２のアンテナグルーピングインデックス４ビットで指示することができる行列の組合せを示す。ここで、表１で指示されたレイヤー数及びストリーム数（Ｍｔ）により、優先的に適用される図３でのＭＩＭＯ技術が決定され、アンテナグルーピングインデックス４ビットフィールドにより、最終的に適用するＭＩＭＯ技術が表５のように決定される。
【００５３】
このように、１つの４ビットアンテナグルーピングインデックスフィールドを介して適用するＳＴＣ符号化部１０４及び２０４のＳＴＣ符号化技術を決定し、先符号化部１０５及び２０５の行列値を同時に分かることができるので、効率的に制御情報メッセージのオーバーヘッドを低減させることができる。   
【００５４】
【表５】
2006141013.tif 000015
【００５５】
表１のＭＩＭＯタイプのフィールド値が‘１０’にアンテナ選択の技術が指定された場合に、表２のアンテナ選択インデックスフィールドの４ビットを通じて、先符号化行列を指示することができる。これは、上記アンテナグルーピングインデックスと同一の動作を遂行して選択されたアンテナを指示する。
【００５６】
表２において、Ｎｅｐ又はＤＩＵＣ（Downlink Interval Usage Code）が明示されたフィールドは、レイヤー数だけ符号器及び変調器の集合で、それぞれに対する符号化率及び変調方式を４ビット値を通じて指示する。すなわち、複数のレイヤーがある場合に、Ｈ−ＡＲＱ（Hybrid Automatic Request）付加情報再送信（ＩＲ；Incremental Redundancy）モードでは、Ｎｅｐ方式にて、符号化率及び変調方式を指示し、端末機で、１つのレイヤーでもエラーがあると、ＮＡＣＫ（Non ACKnowledgement）が発生するので、すべてのレイヤーのデータを符号化利得が高くなるように結合してデータを再送信する。また、最後のフィールドは、ＣＱＩＣＨが割り当てられた場合に、レイヤーごとに１つのＣＱＩフィードバック情報を乗せることができるようにするために、ＣＱＩＣＨチャンネル割当情報を指示する。このような各レイヤーは、相互に異なる符号化及び変調方式を使用するので、それぞれのＣＱＩフィードバック情報を必要とする。
【００５７】
表３は、多重アンテナ又は多重レイヤーを有する構造において、移動局がチャンネル品質情報をフィードバックするために参照すべきフィールドである。フィードバックチャンネル個数を示すＣＱＩＣＨ＿ＮＵＭは、移動局が同時に送信するフィードバックチャンネル数を示す。上記各フィードバックチャンネルで送信するフィードバック情報の種類を示すＣＱＩフィードバックタイプフィールドは、割り当てられた各フィードバックチャンネルに従って、異なるフィードバック情報を移動局が送信することを可能にする。これは、基地局が望む多様なフィードバック情報を移動局が送信することを可能にすることによって、ＭＩＭＯ技術をさらに効率的に動作させることができる。
【００５８】
上述したように、送信器、すなわち、基地局は、受信器、すなわち、移動局がフィードバックしたチャンネル品質情報を考慮して、複数の送信行列のうちの少なくとも１つ以上の行列を決定し、上記決定された行列を用いて、ＳＴＣ符号化又は先符号化を遂行することができ、上記決定された行列情報を本発明で新たに提案するＭＩＭＯ Ｃｏｍｐａｃｔ ＤＬ−ＭＡＰメッセージを通じて移動局へ送信することができる。ここで、移動局は、上記行列情報を基地局から送信されたレイヤー値及びＭｔ値の情報を参照して知る。すると、移動局は、図３で説明したような情報をあらかじめ認知している状態で、上記レイヤー値及びＭｔ値の情報に該当する送信行列を使用して復号化を遂行することができる。
【００５９】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【００６０】
【図１】本発明の実施形態による広帯域無線接続システムにおける移動局から受信したフィードバック情報を用いて先符号化を遂行することができる単一符号化器及び変調器を有する送信器の構成を示す図である。
【図２】本発明の他の実施形態による広帯域無線接続システムにおける移動局から受信したフィードバック情報を用いて先符号化を遂行することができる複数の符号化器及び変調器を有する送信器の構成を示す図である。
【図３】本発明の実施形態によるレイヤー及びストリームの個数に従う送信マトリックスを適用する方案を示す図である。
【符号の説明】
【００６１】
１０１  データ
１０２  符号化器
１０３  変調器
１０４  ＳＴＣ符号化器
１０５  先符号化器
１０６  サブキャリアマッピング器
１０７  逆高速フーリエ変換器
２０２ａ〜２０２ｎ  符号化器
２０３ａ〜２０３ｎ  変調器
２０４  ＳＴＣ符号化器
【図１】
2006141013.tif 000016
【図２】
2006141013.tif 000017
【図３】
2006141013.tif 000018